(57)【要約】【課題】画像の一部に撮影日付やコメント等の文字を鮮明に合成してプリントすることが可能である。【解決手段】プリント注文システムは、ネットワーク１と、ネットワーク１に接続され、プリント注文の受付、ユーザ認証及び注文管理を行う注文サーバ２と、ネットワーク１に接続され、プリント注文を行ない注文サーバ２へ送信するユーザ端末３とを有し、プリント注文に、プリントを行なう画像と、この画像に記録する文字領域と文字内容の指示情報を含み、注文サーバ２に送信されたプリントを行なう画像の文字領域の画像判定を行ない文字色を決定し、画像の文字領域に決定した色で指示された内容の文字を重ねて画像を作成する。【選択図】図２
2004317594.tif 000002
【特許請求の範囲】
【請求項１】
ネットワークと、
前記ネットワークに接続され、プリント注文の受付、ユーザ認証及び注文管理を行う注文サーバと、
前記ネットワークに接続され、前記プリント注文を行ない前記注文サーバへ送信するユーザ端末とを有し、
前記プリント注文に、プリントを行なう画像と、この画像に記録する文字領域と文字内容の指示情報を含み、
前記注文サーバに送信された前記プリントを行なう画像の文字領域の画像判定を行ない文字色を決定し、
前記画像の文字領域に決定した色で指示された内容の文字を重ねて画像を作成することを特徴とするプリント注文システム。
【請求項２】
前記ネットワークに接続され、前記注文サーバを介して前記プリント注文に応じたプリントを行なう注文管理者端末を有することを特徴とする請求項１に記載のプリント注文システム。
【請求項３】
前記画像に記録する文字領域は、予め定められた場所であることを特徴とする請求項１または請求項２に記載のプリント注文システム。
【請求項４】
前記画像に記録する文字領域は、前記ユーザ端末によりユーザが指定した場所であることを特徴とする請求項１または請求項２に記載のプリント注文システム。
【請求項５】
前記プリントを行なう画像と、この画像に記録する文字情報は、内部に撮影日付情報を持つＥｘｉｆファイルに従うことを特徴とする請求項１または請求項２に記載のプリント注文システム。
【請求項６】
前記プリントを行なう画像と、この画像に記録する文字情報は、撮影日付重ね焼きプリント指示機能を持つＤＰＯＦファイルに従うことを特徴とする請求項１または請求項２に記載のプリント注文システム。
【請求項７】
前記文字色を決定は、前記文字領域の色抽出を行ない、この抽出された文字領域の色から離れた色域を決定することを特徴とする請求項１乃至請求項６のいずれか１項に記載のプリント注文システム。
【請求項８】
前記文字領域の色から離れた色域は、色相、彩度、明るさの少なくともいずれかによって決定されることを特徴とする請求項７に記載のプリント注文システム。
【請求項９】
前記注文管理者端末は、前記画像を表示して修正可能であることを特徴とする請求項１乃至請求項８のいずれか１項に記載のプリント注文システム。
【請求項１０】
前記ユーザ端末は、前記画像を表示して修正可能であることを特徴とする請求項１乃至請求項８のいずれか１項に記載のプリント注文システム。
【請求項１１】
プリント注文の受付、ユーザ認証及び注文管理を行う注文サーバと、
前記工プリント注文を行い前記注文サーバへ送信するユーザ端末とを有し、
前記プリント注文に、プリントを行なう画像と、この画像に記録する文字領域と文字内容の指示情報を含み、
前記注文サーバに送信された前記プリントを行なう画像の文字領域の画像判定を行ない文字色を決定し、
前記画像の文字領域に決定した色で指示された内容の文字を重ねて画像を作成することを特徴とするプリント注文方法。
【請求項１２】
前記注文サーバを介して注文管理者端末により前記プリント注文に応じたプリントを行なうことを特徴とする請求項１１に記載のプリント注文方法。
【請求項１３】
前記画像に記録する文字領域は、予め定められた場所であることを特徴とする請求項１１または請求項１２に記載のプリント注文方法。
【請求項１４】
前記画像に記録する文字領域は、前記ユーザ端末によりユーザが指定した場所であることを特徴とする請求項１１または請求項１２に記載のプリント注文方法。
【請求項１５】
前記プリントを行なう画像と、この画像に記録する文字情報は、内部に撮影日付情報を持つＥｘｉｆファイルであることを特徴とする請求項１１または請求項１２に記載のプリント注文方法。
【請求項１６】
前記プリントを行なう画像と、この画像に記録する文字情報は、撮影日付重ね焼きプリント指示機能を持つＤＰＯＦファイルに従うことを特徴とする請求項１１または請求項１２に記載のプリント注文方法。
【請求項１７】
前記文字色を決定は、前記文字領域の色抽出を行ない、この抽出された文字領域の色から離れた色域を決定することを特徴とする請求項１１乃至請求項１６のいずれか１項に記載のプリント注文方法。
【請求項１８】
前記文字領域の色から離れた色域は、色相、彩度、明るさの少なくともいずれかによって決定されることを特徴とする請求項１７に記載のプリント注文方法。
【請求項１９】
前記注文管理者端末は、前記画像を表示して修正可能であることを特徴とする請求項１１乃至請求項１８のいずれか１項に記載のプリント注文方法。
【請求項２０】
前記ユーザ端末は、前記画像を表示して修正可能であることを特徴とする請求項１１乃至請求項１８のいずれか１項に記載のプリント注文方法。
【発明の詳細な説明】
【０００１】
【発明の属する技術分野】
この発明は、プリント出力するサービスをインターネットなどのネットワークを介してユーザ（顧客）に提供するプリント注文システム及びプリント注文方法に関する。
【０００２】
【従来の技術】
近年、デジタルカメラや家庭用デジタルプリンタは、画像処理技術の向上により、めざましい勢いで普及している。それに伴い、使用しているユーザもデジタル画像に対する意識も高まり、インターネットのホームべージ作成やデジタルプリントなど様々な用途で使われてきている。一方、画像プリントサービスを行う出力センターやミニラボ（小規模現像所）や集中処理を行う大ラボ（小規模現像所）なども当然、デジタル画像データを取り扱うサービスが増えてきており、そのサービスバリエーションは多岐に渡る。
【０００３】
写真に関するサービスを顧客に提供する方法として、大ラボや出力センターにスキャナやプリンターを配置し、顧客が撮影した写真画像を画像サーバに蓄積し、顧客が画像サーバにインターネットを介し、アクセスして写真の焼き増し注文や画像のアップロード、ダウンロードなどの各種サービスを提供するネットワークビジネスが提案されている（例えば特許文献１）。このネットワークビジネスの利点として、自宅に居ながらにして注文ができ、デジタル画像ならではのサービスが受けられる為、エンドユーザにとってはメリットが大きく、今後伸びていくサービスであろうと予測される。
【０００４】
【特許文献１】
特開２００１−３４６０２８号公報（第１〜第７頁、図１、図２）
【０００５】
【発明が解決しようとする課題】
このように、デジタルカメラの高性能化、低価格化により写真画像をデジタルデータとして扱うユーザが急激に増加している。また、フィルムカメラで撮影した写真をデジタルデータに変換するサービスも行われており、フィルムを現像した後、スキャナ等で読み取り、読み取った画像データをＣＤ−Ｒ等の情報記録媒体に書き込んでユーザに提供するサービスも行われている。このような、デジタルデータは家庭やオフィスにおいてインクジェットプリンタ等のプリンタで出力される他、写真店に持ち込まれ、プリントされる。
【０００６】
また、最近はＡＤＳＬ等のブロードバンドが急速に普及し、インターネットでのプリント注文も―般的になりつつある。インターネット注文ではパソコンがあればいつでもどこでも注文でき、コンビニ等の店で受け取ったり自宅等への配送もでき、写真店の閉店時問を気にする必要がないため、非常に便利である。
【０００７】
―方、画像がデジタルデータになるとその画像の一部に撮影日付やコメント等を合成してプリントすることが行なわれるが、合成される文字の色によっては画像の一部との見分けが付かず、撮影日付やコメント等の文字が不鮮明であった。
【０００８】
この発明は、このような課題に鑑みてなされたのものであって、画像の一部に撮影日付やコメント等の文字を鮮明に合成してプリントすることが可能なプリント注文システム及びプリント注文方法を提供することを目的としている。
【０００９】
【課題を解決するための手段】
前記課題を解決し、かつ目的を達成するために、この発明は、以下のように構成した。
【００１０】
請求項１に記載の発明は、ネットワークと、
前記ネットワークに接続され、プリント注文の受付、ユーザ認証及び注文管理を行う注文サーバと、
前記ネットワークに接続され、前記プリント注文を行ない前記注文サーバへ送信するユーザ端末とを有し、
前記プリント注文に、プリントを行なう画像と、この画像に記録する文字領域と文字内容の指示情報を含み、
前記注文サーバに送信された前記プリントを行なう画像の文字領域の画像判定を行ない文字色を決定し、
前記画像の文字領域に決定した色で指示された内容の文字を重ねて画像を作成することを特徴とするプリント注文システムである。
【００１１】
この請求項１に記載の発明によれば、注文サーバに送信されたプリントを行なう画像の文字領域の画像判定を行ない文字色を決定し、画像の文字領域に決定した色で指示された内容の文字を重ねて画像を作成することで、画像の一部に撮影日付やコメント等の文字を鮮明に合成してプリントすることができる。
【００１２】
請求項２に記載の発明は、前記ネットワークに接続され、前記注文サーバを介して前記プリント注文に応じたプリントを行なう注文管理者端末を有することを特徴とする請求項１に記載のプリント注文システムである。
【００１３】
この請求項２に記載の発明によれば、注文サーバを介してプリント注文に応じたプリントを行なう注文管理者端末を有することで、注文管理者によってプリントを行なうことができる。
【００１４】
請求項３に記載の発明は、前記画像に記録する文字領域は、予め定められた場所であることを特徴とする請求項１または請求項２に記載のプリント注文システムである。
【００１５】
この請求項３に記載の発明によれば、画像に記録する文字領域が、予め定められた場所であっても、文字を鮮明にすることができる。
【００１６】
請求項４に記載の発明は、前記画像に記録する文字領域は、前記ユーザ端末によりユーザが指定した場所であることを特徴とする請求項１または請求項２に記載のプリント注文システムである。
【００１７】
この請求項４に記載の発明によれば、画像に記録する文字領域がユーザ端末によりユーザが指定した場所であっても、文字を鮮明にすることができる。
【００１８】
請求項５に記載の発明は、前記画像プリントを行なう画像と、この画像に記録する文字情報は、内部に撮影日付情報を持つＥｘｉｆファイルであることを特徴とする請求項１または請求項２に記載のプリント注文システムである。
【００１９】
この請求項５に記載の発明によれば、内部に撮影日付情報を持つＥｘｉｆファイルから画像に記録する文字情報に基づいて文字を鮮明にすることができる。
【００２０】
請求項６に記載の発明は、前記プリントを行なう画像と、この画像に記録する文字情報は、撮影日付重ね焼きプリント指示機能を持つＤＰＯＦファイルに従うことを特徴とする請求項１または請求項２に記載のプリント注文システムである。
【００２１】
この請求項６に記載の発明によれば、撮影日付重ね焼きプリント指示機能を持つＤＰＯＦファイルで指示されたＥｘｉｆファイルと、そのファイルが内蔵する撮影日付情報をもとに、画像に撮影日付を重ね焼きする場合において、画像に記録する文字情報に基づいて文字を鮮明にすることができる。
【００２２】
請求項７に記載の発明は、前記文字色を決定は、前記文字領域の色抽出を行ない、この抽出された文字領域の色から離れた色域を決定することを特徴とする請求項１乃至請求項６のいずれか１項に記載のプリント注文システムである。
【００２３】
この請求項７に記載の発明によれば、文字領域の色抽出を行ない、この抽出された文字領域の色から離れた色域を決定することで、文字を鮮明にすることができる。
【００２４】
請求項８に記載の発明は、前記文字領域の色から離れた色域は、色相、彩度、明るさの少なくともいずれかによって決定されることを特徴とする請求項７に記載のプリント注文システムである。
【００２５】
この請求項８に記載の発明によれば、文字領域の色から離れた色域は、色相、彩度、明るさの少なくともいずれかによって決定されることで、文字を鮮明にすることができる。
【００２６】
請求項９に記載の発明は、前記注文管理者端末は、前記画像を表示して修正可能であることを特徴とする請求項１乃至請求項８のいずれか１項に記載のプリント注文システムである。
【００２７】
この請求項９に記載の発明によれば、注文管理者端末で画像を表示して修正可能であることで、より文字を鮮明にすることができる。
【００２８】
請求項１０に記載の発明は、前記ユーザ端末は、前記画像を表示して修正可能であることを特徴とする請求項１乃至請求項８のいずれか１項に記載のプリント注文システムである。
【００２９】
この請求項１０に記載の発明によれば、ユーザ端末で画像を表示して修正可能であることで、より文字を鮮明にすることができる。
【００３０】
請求項１１に記載の発明は、プリント注文の受付、ユーザ認証及び注文管理を行う注文サーバと、
前記工プリント注文を行い前記注文サーバへ送信するユーザ端末とを有し、
前記プリント注文に、プリントを行なう画像と、この画像に記録する文字領域と文字内容の指示情報を含み、
前記注文サーバに送信された前記プリントを行なう画像の文字領域の画像判定を行ない文字色を決定し、
前記画像の文字領域に決定した色で指示された内容の文字を重ねて画像を作成することを特徴とするプリント注文方法である。
【００３１】
この請求項１１に記載の発明によれば、注文サーバに送信されたプリントを行なう画像の文字領域の画像判定を行ない文字色を決定し、画像の文字領域に決定した色で指示された内容の文字を重ねて画像を作成することで、画像の一部に撮影日付やコメント等の文字を鮮明にしてプリントすることができる。
【００３２】
請求項１２に記載の発明は、前記注文サーバを介して注文管理者端末により前記プリント注文に応じたプリントを行なうことを特徴とする請求項１１に記載のプリント注文方法である。
【００３３】
この請求項１２に記載の発明によれば、注文サーバを介して注文管理者によってプリント注文に応じたプリントを行なうことができる。
【００３４】
請求項１３に記載の発明は、前記画像に記録する文字領域は、予め定められた場所であることを特徴とする請求項１１または請求項１２に記載のプリント注文方法である。
【００３５】
この請求項１３に記載の発明によれば、画像に記録する文字領域が、予め定められた場所であっても、文字を鮮明にすることができる。
【００３６】
請求項１４に記載の発明は、前記画像に記録する文字領域は、前記ユーザ端末によりユーザが指定した場所であることを特徴とする請求項１１または請求項１２に記載のプリント注文方法である。
【００３７】
この請求項１４に記載の発明によれば、画像に記録する文字領域がユーザ端末によりユーザが指定した場所であっても、文字を鮮明にすることができる。
【００３８】
請求項１５に記載の発明は、前記プリントを行なう画像と、この画像に記録する文字情報は、内部に撮影日付情報を持つＥｘｉｆファイルであることを特徴とする請求項１１または請求項１２に記載のプリント注文方法である。
【００３９】
この請求項１５に記載の発明によれば、内部に撮影日付情報を持つＥｘｉｆファイルから画像に記録する文字領域と文字内容の指示に基づいて文字を鮮明にすることができる。
【００４０】
請求項１６に記載の発明は、前記プリントを行なう画像と、この画像に記録する文字情報は、撮影日付重ね焼きプリント指示機能を持つＤＰＯＦファイルに従うことを特徴とする請求項１１または請求項１２に記載のプリント注文方法である。
【００４１】
この請求項１６に記載の発明によれば、撮影日付重ね焼きプリント指示機能を持つＤＰＯＦファイルで指示されたＥｘｉｆファイルと、そのファイルが内蔵する撮影日付情報をもとに、画像に撮影日付を重ね焼きする場合において、画像に記録する文字領域と文字内容の指示に基づいて文字を鮮明にすることができる。
【００４２】
請求項１７に記載の発明は、前記文字色を決定は、前記文字領域の色抽出を行ない、この抽出された文字領域の色から離れた色域を決定することを特徴とする請求項１１乃至請求項１６のいずれか１項に記載のプリント注文方法である。
【００４３】
この請求項１７に記載の発明によれば、文字領域の色抽出を行ない、この抽出された文字領域の色から離れた色域を決定することで、文字を鮮明にすることができる。
【００４４】
請求項１８に記載の発明は、前記文字領域の色から離れた色域は、色相、彩度、明るさの少なくともいずれかによって決定されることを特徴とする請求項１７に記載のプリント注文方法である。
【００４５】
この請求項１８に記載の発明によれば、文字領域の色から離れた色域は、色相、彩度、明るさの少なくともいずれかによって決定されることで、文字を鮮明にすることができる。
【００４６】
請求項１９に記載の発明は、前記注文管理者端末は、前記画像を表示して修正可能であることを特徴とする請求項１１乃至請求項１８のいずれか１項に記載のプリント注文方法である。
【００４７】
この請求項１９に記載の発明によれば、注文管理者端末で作成した画像を表示して修正可能であることで、より文字を鮮明にすることができる。
【００４８】
請求項２０に記載の発明は、前記ユーザ端末は、前記画像を表示して修正可能であることを特徴とする請求項１１乃至請求項１８のいずれか１項に記載のプリント注文方法である。
【００４９】
この請求項２０に記載の発明によれば、ユーザ端末で作成した画像を表示して修正可能であることで、より文字を鮮明に合成することができる。
【００５０】
【発明の実施の形態】
以下、この発明のプリント注文システム及びプリント注文方法の実施の形態を図面に基づいて説明するが、この発明は、この実施の形態に限定されない。
【００５１】
図１はプリント注文システムを示す図である。図１において、ネットワーク１に、注文サーバ２、ユーザ端末３が接続され、それぞれネットワーク１を介して通信可能となっている。ネットワーク１に接続されたプリントサーバ４ａには、プリント作成装置４が接続され、このプリント作成装置４によってプリント注文に応じたプリントを行なう。
【００５２】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００５３】
注文サーバ２は、ネットワーク１を介し、プリント注文の受付、ユーザ認証及び注文管理を行うと共に、画像閲覧、画像保管、顧客情報管理など、ネットワーク画像サービスを提供可能な機能を有する。
【００５４】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。デジタルカメラを備える携帯電話では、デジタルカメラの撮像で画像の取り込みを行なうことができ、デジタルカメラを備えない携帯電話では、他の電子機器からの通信により画像を受信して画像の取り込みを行なうことができる。
【００５５】
このユーザ端末３では、プリント注文を行い注文サーバ２へ送信する。このプリント注文には、プリントを行なう画像と、この画像に記録する文字領域と文字内容の指示情報を含む。この画像に記録する文字領域は、プリントを行なう画像の予め定められた場所であり、あるいはユーザ端末３によりユーザがプリントを行なう画像の指定した場所であってもよい。
【００５６】
このプリントを行なう画像と、この画像に記録する文字情報は、内部に撮影日付情報を持つＥｘｉｆファイルに従う場合であってもよく、撮影日付重ね焼きプリント指示機能を持つＤＰＯＦファイルに従う場合であってもよい。
【００５７】
注文サーバ２では、送信されたプリントを行なう画像の文字領域の画像判定を行ない文字色を決定し、画像の文字領域に決定した色で指示された内容の文字を重ねて画像を作成し、プリントサーバ４ａに注文画像及び加工画像を送信する。プリントサーバ４ａでは前記注文データを受け取り、プリント作成装置４によってプリント注文に応じたプリントを行なう。このプリント作成装置４は、店舗等に配置され、画像編集画面上での画像加工作業を行なうこともできる。店舗とは、例えばラボのようなものを言うがこれに限られない。また、注文サーバ２は、文字領域の画像判定を行い、文字色を決定した後、文字色の情報を他の注文情報と同時にプリントサーバ４ａに送信する。この情報を受けてプリント作成装置４にて、合成画像を作成、出力することができる。通信負荷を考えると、より好ましい方法である。
【００５８】
次に、図２に基づいてプリント注文方法を説明する。図２はプリント注文方法を実行するフローチャートである。
【００５９】
ユーザは、ユーザ端末３のブラウザソフトを立ち上げ（Ｓ１）、プリント注文サイトにアクセスする（Ｓ２）。ユーザ端末３からユーザＩＤを入力して注文サーバ２へ送り、注文サーバ２では予め登録されたユーザＩＤと照合して個人のユーザ認証を行なう（Ｓ３）。
【００６０】
ユーザ端末３では、注文サーバ２からのユーザ認証を受け取り、プリント注文を行なう。このプリント注文では、プリントを行なう画像に記録する文字領域と文字内容の指示を行なうための注文情報を入力し、プリントを行なう画像の送信を行なう（Ｓ４）。
【００６１】
このプリント注文であるか否かの判断を行ない（Ｓ５）、注文サーバ２を介して注文見積もりを行なう（Ｓ６）。
【００６２】
ユーザ端末３では、見積もりとプリント注文の確認を行なう表示画面を閲覧可能であり（Ｓ７）、見積金額とプリント注文の確認を行なう（Ｓ８）。問題がない場合はプリント注文すると（Ｓ９）、注文サーバ２を介して注文確認メールが送信される。
【００６３】
プリント注文の場合は（Ｓ１０）、プリントサーバ４ａでは、注文サーバ２から送信されたプリント注文情報を受け取り、画像の文字領域の画像判定を行ない文字色を決定し、画像の文字領域に決定した色で指示された内容の文字を重ねて画像を作成する（Ｓ１１）。
【００６４】
プリント作成装置４では、注文通り否かの確認を行なってプリントを行ない（Ｓ１２）、ユーザへ送付する。
【００６５】
図３はプリント注文システムの他の実施の形態を示す図である。この実施の形態では、注文管理者は注文管理者端末５によって注文サーバ２に送信されたプリント注文の管理を行ない、ネットワーク１に接続されたプリントサーバ４ａにプリント注文を振分ける。
【００６６】
プリントサーバ４ａでは、注文サーバ２から送信された画像の文字領域の画像判定を行ない文字色を決定し、画像の文字領域に決定した色で指示された内容の文字を重ねて画像を作成し、プリント作成装置４にプリント指示を行う。このプリント作成装置４は、店舗等に配置され、例えばラボのようなものを言うがこれに限られない。
【００６７】
次に、図４及び図５に基づいて、ユーザ端末３で行なうプリント注文の実施の形態について説明する。
【００６８】
図４はユーザ端末から送信するプリントを行なう画像を示す。このプリントを行なう画像３０は、内部に撮影日付情報を持つＥｘｉｆファイルが搭載されたデジタルカメラで撮影した画像であり、ユーザ端末３から送信する。プリントを行なう画像３０には、例えば右下の所定の文字領域３２に撮影年月日の文字３１が記録されている。この場合、画像３０に記録する文字領域３２は、予め定められた場所である。
【００６９】
また、撮影日付重ね焼きプリント指示機能を持つＤＰＯＦファイルが搭載されたデジタルカメラで撮影した画像でも同様に、ユーザ端末３から送信することができる。ＤＰＯＦファイルでも画像３０に記録する文字領域３２は、予め定められた場所である。
【００７０】
さらに、図５にユーザ端末から送信するプリントを行なう画像を示す。この実施の形態では、ユーザ端末３に接続したスキャナ等からプリントを行なう画像３０を取り込み、この画像３０の所定位置に記録する内容の文字３１を書き込み指示する。この場合、画像３０に記録する文字領域３２は、ユーザ端末３によりユーザが指定した場所である。
【００７１】
このように、プリントを行なう画像３０と、この画像３０に記録する文字３１により文字領域３２と文字内容の指示情報が注文サーバ２へ送信される。
【００７２】
次に、図６乃至図１０に基づいて、注文サーバ２で行なう文字色を決定の実施の形態について説明する。図６は文字色を決定するフローチャート、図７は文字色決定のフローチャート、図８は色度図を示し、図９は明度図を示し、図１０は画像の文字領域に決定した色で指示された内容の文字を重ねて画像を示す図である。
【００７３】
図６において、文字領域を設定し（Ｓ２１）、この設定された文字領域の色抽出を行ない（Ｓ２２）、この抽出された文字領域の色から離れた色域を決定する（Ｓ２３）。文字領域の色から離れた色域は、色相、彩度、明るさの少なくともいずれかによって決定される。そして、画像の文字領域に決定した色で指示された内容の文字を重ねて画像を作成する（Ｓ２４）。
【００７４】
この文字領域を設定し、この設定された文字領域の色抽出を行なう構成を図７の文字色決定のフローチャーに基づいて説明する。
【００７５】
図７において、注文サーバ２では、文字領域を有するプリントを行なうカラー画像データを格納する画像メモリに入力し（Ｓ３１）、画像メモリに格納されたカラー画像データから文字領域を抽出し（Ｓ３２）、文字領域中の文字色及び背景色を抽出し、これらの色をＲＧＢデータとして文字色識別し（Ｓ３３）、識別された文字色のＲＧＢデータをカラーデータとして判別する文字色分類を行ない（Ｓ３４）、文字色のＲＧＢデータが該当するカラーデータが特定する色をその文字画像データの色であると認識する文字色認識を行なう（Ｓ３５）。
【００７６】
ステップＳ３２の文字領域抽出は、カラー画像データから文字領域を抽出する機能を実行する。カラー画像データからの文字領域の抽出には、各種の公知技術を使用することが可能である。例えば、画像データから黒連結成分の外接矩形を抽出し、矩形の大きさと予め定めた閾値とを比較することによって、文字の矩形と線図形の矩形とを判別したり（特開昭５５−１６２１７７号公報参照）する技術を使用することで、カラー画像データから文字領域を抽出することが可能である。
【００７７】
ステップＳ３３の文字色識別は、ステップＳ３２の文字領域抽出によって抽出された文字領域中の文字色及び背景色を抽出し、これらの色をＲＧＢデータとして識別する。文字色を抽出するには、各種の公知技術を使用することが可能である。例えば、特開昭５５−８０１８５号公報に記載されているように、カラー画像データの各点の座標をＲＧＢという３原色の光量として把握し、これを３次元ベクトルとして認識する手法を用いることができる。また、特開昭５５−８０１８５号公報には、文字領域の背景色を求める手法も開示される。
【００７８】
ステップＳ３４の文字色分類は、識別された文字色のＲＧＢデータをカラーデータとして判別する。一例として、識別された文字色及び背景色のＲＧＢデータを、例えば文字色抽出用のプログラムに付随してＨＤＤに格納されるカラーパレット１０８上のどの色に当てはめられるかを判定することで、識別された文字色のＲＧＢデータをカラーデータとして判別する。
【００７９】
ステップＳ３５の文字色認識は、文字色のＲＧＢデータに該当するカラーパレット上のカラーデータが特定する色を、その文字画像データの色であると認識する。
【００８０】
この抽出された文字領域の色から離れた色域を決定は、図８に示すように、色度図は知覚色度が均等ではないので、知覚に近い色差を表すようにしたＬ＊ａ＊ｂ＊表色系が１９７６年に制定されたものであり、Ｌ＊は明度を表し、ａ＊とｂ＊は色相と彩度を示す色度を表す。ａ＊とｂ＊は色の方向を示し、ａ＊は赤に向かい、ｂ＊は黄に向かうことを示し、数値が大きくなるに従って色が鮮やかになり、抽出された文字領域ｃの色から離れた色域ｄを決定する。
【００８１】
また、抽出された文字領域の色から離れた色域を決定は、図９に示すように、明度によって行なっても良い。図９では、抽出された文字領域の色の明度が暗い側ａであると、文字色を明るい側ｂの色に決定される。
【００８２】
図１０は画像の文字領域に決定した色で指示された内容の文字を重ねて作成した合成画像５０を示し、プリントを行なう画像の文字領域の画像判定を行ない文字色を決定し、画像の文字領域に決定した色で指示された内容の文字を重ねて合成画像を作成することで、画像の一部に撮影日付やコメント等の文字を鮮明に合成してプリントすることができる。
【００８３】
合成画像５０は、プリントする前に、例えば注文管理者端末５で合成画像を表示して修正可能であり、またユーザ端末３でも合成画像を表示して修正可能であることで、より文字を鮮明に合成することができる。
【００８４】
【発明の効果】
前記したように、請求項１及び請求項８に記載の発明では、注文サーバに送信されたプリントを行なう画像の文字領域の画像判定を行ない文字色を決定し、画像の文字領域に決定した色で指示された内容の文字を重ねて画像を作成することで、画像の一部に撮影日付やコメント等の文字を鮮明にしてプリントすることができる。
【００８５】
請求項２及び請求項９に記載の発明では、画像に記録する文字領域が、予め定められた場所であっても、文字を鮮明にすることができる。
【００８６】
請求項３及び請求項１０に記載の発明では、画像に記録する文字領域がユーザ端末によりユーザが指定した場所であっても、文字を鮮明にすることができる。
【００８７】
請求項４及び請求項１１に記載の発明では、内部に撮影日付情報を持つＥｘｉｆファイルから画像に記録する文字情報に基づいて文字を鮮明にすることができる。
【００８８】
請求項５及び請求項１２に記載の発明では、撮影日付重ね焼きプリント指示機能を持つＤＰＯＦファイルに従うことで、画像に記録する文字情報に基づいて文字を鮮明にすることができる。
【００８９】
請求項６及び請求項１３に記載の発明では、文字領域の色抽出を行ない、この抽出された文字領域の色から離れた色域を決定することで、文字を鮮明にすることができる。
【００９０】
請求項７及び請求項１４に記載の発明では、文字領域の色から離れた色域は、色相、彩度、明るさの少なくともいずれかによって決定されることで、文字を鮮明にすることができる。
【図面の簡単な説明】
【図１】プリント注文システムを示す図である。
【図２】プリント注文方法を実行するフローチャートである。
【図３】プリント注文システムの他の実施の形態を示す図である。
【図４】ユーザ端末から送信するプリントを行なう画像を示す図である。
【図５】ユーザ端末から送信するプリントを行なう画像を示す図である。
【図６】文字色を決定するフローチャートである。
【図７】文字色決定のフローチャーである。
【図８】色度図である。
【図９】明度図である。
【図１０】画像の文字領域に決定した色で指示された内容の文字を重ねた合成画像を示す図である。
【符号の説明】
１  ネットワーク
２  注文サーバ
３  ユーザ端末
５  注文管理者端末
３０  プリントを行なう画像
３１  所定位置に記録する内容の文字
３２  文字領域
【図１】
2004317594.tif 000003
【図２】
2004317594.tif 000004
【図３】
2004317594.tif 000005
【図４】
2004317594.tif 000006
【図５】
2004317594.tif 000007
【図６】
2004317594.tif 000008
【図７】
2004317594.tif 000009
【図８】
2004317594.tif 000010
【図９】
2004317594.tif 000011
【図１０】
2004317594.tif 000012